(57)【要約】【課題】デジタル放送番組の受信において、モニタ画面でのチャネル変更の待ち時間を低減し、利便性を高める。【解決手段】いま、一方のデジタル放送受信手段７ａが、出力制御手段８により、その受信チャンネルの番組が図示しないモニタ装置で視聴される視聴受信状態にある。視聴嗜好判別手段１６は、番組情報記録手段９の番組情報と視聴履歴記録手段１７の各番組の視聴履歴とから、利用者の視聴頻度の高い番組のチャンネルを選択して最優先チャンネルとし、これで他方のデジタル放送受信手段７ｂを受信状態（待機受信状態）にする。そして、チャンネル変更の指示があり、その指示チャンネルがこの最優先チャンネルに等しい場合には、出力制御手段８が待機受信状態のデジタル放送受信手段７ｂの出力映像・音声信号を選択してモニタ装置に供給する。これにより、モニタ装置では、直ちにチャンネルの変更が行なわれる。【選択図】図４
2005354283.tif 000002
【特許請求の範囲】
【請求項１】
デジタル放送番組信号を受信し、該デジタル放送番組信号を処理して映像・音声信号を出力するデジタル放送受信手段を複数備え、
かつ、
複数の該デジタル放送受信手段のいずれか１つから出力される映像・音声信号を選択してモニタ装置に供給する出力制御手段と、
少なくとも受信チャンネルの選択操作と変更操作とを行なうためのチャンネル操作手段と、
該チャンネル操作手段での受信チャンネルの選択操作に応じて、該出力制御手段によって映像・音声信号が選択されて視聴受信状態にある該デジタル放送受信手段以外の該デジタル放送受信手段に受信チャンネルを設定することにより、該デジタル放送受信手段を待機受信状態とし、該チャンネル操作手段での受信チャンネルの変更操作に応じて、該受信チャンネルの変更操作による指示チャンネルが待機受信状態にある該デジタル放送受信手段の該受信チャンネルと一致するとき、該出力制御手段を制御して、映像・音声信号のモニタ装置への供給を視聴受信状態にある該デジタル放送受信手段から待機受信状態にある該デジタル放送受信手段に切り替える制御手段と
を備えたことを特徴とするデジタル放送受信装置。
【請求項２】
請求項１において、
前記制御手段は、前記チャンネル操作手段での受信チャンネルの変更操作による指示チャンネルが待機受信状態にある前記デジタル放送受信手段の受信チャンネルと一致しないときには、前記出力制御手段によって映像・音声信号が選択されてモニタ装置に供給されている視聴受信状態の前記デジタル放送受信手段の受信チャンネルを該指定チャンネルに切り替えることを特徴とするデジタル放送受信装置。
【請求項３】
デジタル放送番組信号を受信し、該デジタル放送番組信号を処理して映像・音声信号を出力するデジタル放送受信手段を複数備え、
かつ、
複数の該デジタル放送受信手段のいずれか１つから出力される映像・音声信号を選択してモニタ装置に供給する出力制御手段と、
少なくとも受信チャンネルの変更操作を行なうためのチャンネル操作手段と、
デジタル放送番組の番組情報を記録する番組情報記録手段と、
現時点から過去一定期間視聴した番組の視聴履歴を示す視聴履歴情報を記録する視聴履歴記録手段と、
該番組記録手段の該番組情報と該視聴履歴記録手段の該視聴履歴情報をもとに、利用者が現時点で最も優先して選択するデジタル放送番組を検出し、該デジタル放送番組のチャンネルを最優先チャンネルとする視聴嗜好判別手段と、
該出力制御手段によって映像・音声信号が選択されて視聴受信状態にある該デジタル放送受信手段以外の該デジタル放送受信手段に該最優先チャンネルを受信チャンネルとして設定することにより、該デジタル放送受信手段を待機受信状態とし、該チャンネル操作手段での受信チャンネルの変更操作に応じて、該受信チャンネルの変更操作による指示チャンネルが待機受信状態にある該デジタル放送受信手段の該受信チャンネルと一致するとき、該出力制御手段を制御して、映像・音声信号のモニタ装置への供給を視聴受信状態にある該デジタル放送受信手段から待機受信状態にある該デジタル放送受信手段に切り替える制御手段と
を備えたことを特徴とするデジタル放送受信装置。
【請求項４】
請求項３において、
前記制御手段は、前記チャンネル操作手段での受信チャンネルの変更操作による指示チャンネルが待機受信状態にある前記デジタル放送受信手段の受信チャンネルと一致しないときには、前記出力制御手段によって映像・音声信号が選択されてモニタ装置に供給されている視聴受信状態の前記デジタル放送受信手段の受信チャンネルを該指定チャンネルに切り替えることを特徴とするデジタル放送受信装置。
【請求項５】
請求項３において、
前記番組情報は、前記デジタル放送番組信号とともに、前記デジタル放送受信手段で受信されたものであることを特徴とするデジタル放送受信装置。
【請求項６】
請求項３において、
ネットワークＩ／Ｆを備え、
前記番組情報は、該ネットワークＩ／Ｆで受信されたものであることを特徴とするデジタル放送受信装置。
【請求項７】
請求項３において、
前記チャンネル操作手段は、チャンネルを個別に指示するためのテンキーと、指定するチャンネルを昇順に変化させるチャンネルアップキーと、指定するチャンネルを降順に変化させるチャンネルダウンキーと、待機受信状態の前記デジタル放送受信手段に設定されている前記最優先チャンネルを指定する選局済みチャンネル選択キーとの各チャンネル操作キーを備え、
前記制御手段は、操作される該チャンネル操作キーに応じて、待機受信状態の前記デジタル放送受信手段に設定する前記最優先チャンネルを異ならせることを特徴とするデジタル放送受信装置。
【請求項８】
請求項７において、
前記制御手段は、
（１）前記テンキー，前記チャンネルアップキー，前記チャンネルダウンキーのいずれかの操作によって指定されるチャンネルが待機受信状態にある前記デジタル放送受信手段に設定されている受信チャンネルに一致するとき、もしくは前記選局済みチャンネル選択キーが操作されたとき、前記出力制御手段を制御して、映像・音声信号の前記モニタ装置への供給を視聴受信状態にある前記デジタル放送受信手段から待機受信状態にある前記デジタル放送受信手段に切り替え、
（２）前記テンキーまたは前記選局済みチャンネル選択キーが操作されたとき、前記視聴嗜好判別手段で検出された前記最優先チャンネルを待機受信状態とする前記デジタル放送受信手段に受信チャンネルとして設定し、前記チャンネルアップキーが操作されてチャンネルが指定されたとき、チャンネルの配列順序からして指定された該チャンネルの１つ後の順序となるチャンネルを待機受信状態とする前記デジタル放送受信手段に受信チャンネルとして設定し、前記チャンネルダウンキーが操作されてチャンネルが指定されたとき、チャンネルの配列順序からして指定された該チャンネルの１つ前の順序となるチャンネルを待機受信状態とする前記デジタル放送受信手段に受信チャンネルとして設定する
ことを特徴とするデジタル放送受信装置。
【請求項９】
請求項１〜８のいずれか１つにおいて、
前記チャンネル操作手段の所定操作により、視聴受信状態にある前記デジタル放送受信手段の受信チャンネルと待機受信状態にある前記デジタル放送受信手段の受信チャンネルとを画面表示することを特徴とするデジタル放送受信装置。
【請求項１０】
請求項１〜８のいずれか１つにおいて、
前記チャンネル操作手段の所定操作により、現時点での放送番組の番組表を画面表示し、該番組表で待機受信状態にある前記デジタル放送受信手段で受信中のデジタル放送番組を他の該デジタル放送番組と区別して表示することを特徴とするデジタル放送受信装置。
【発明の詳細な説明】
【技術分野】
【０００１】
本発明は、ＢＳ，ＣＳデジタル放送あるいは地上波デジタル放送などにより配信されるデジタル化された音声・映像データを受信し、受信した音声・映像を再生するデジタル放送受信装置に関する。
【背景技術】
【０００２】
近年、テレビ放送をデジタル化したデジタル放送が開始されている。このデジタル放送においては、映像，音声及び電子番組情報などのデータがビットストリームに多重化されて伝送され、デジタル放送受信装置において、受信したこのビットストリームから映像・音声データを分離抽出し、音声及び映像を再生して出力する。
【０００３】
このデジタル放送で用いられる映像・音声データの符号化方式としては、例えば、ＭＰＥＧ２と呼ばれる方式が用いられている。ＭＰＥＧ２符号化方式では、映像フレームを復号化する際に、この復号化する映像フレームの前後のフレームの情報も参照する。そこで、映像を復号化するためには、各映像フレーム毎に復号化に必要な複数フレームのデータを受信して蓄積する必要があり、それまでは、この映像フレームを再生して出力するということができない。このため、チャネルを変更して新たなチャンネルの番組に切り替える場合、チャンネル切り替えの指示があってからデジタル放送受信機に接続されたモニタ装置に新たなチャンネルの番組の映像・音声データが出力されるまでには、この新たな番組のチャンネル周波数の設定，受信されたビットストリームからの映像・音声データの分離抽出及び映像音声データの復号化の一連の処理を行なう必要があって、番組の切替えに長い時間を要し、この間モニタ装置では、ブランク画面が表示される。
【０００４】
そこで、チャンネルの切り替えによるブランク画面の表示期間を有効に利用する方法として、所定の挿入画面をモニタ装置で表示させるようにしたシステムが提案されている（例えば、特許文献１参照）。
【０００５】
これは、デジタル放送で受信した番組付属情報画面や広告情報画面などの情報画面やネットワークを介して取得した広告画面などを、挿入画像として、バッファに変更可能に保持しており、チャンネル切り替えの指示があると、新たなチャンネルの番組がモニタ装置で表示可能となるまでの期間、もしくはそれ以上の期間、バッファから挿入画像を読み出してモニタ装置で表示させるものである。
【特許文献１】特開２００２−５１３２５号公報
【発明の開示】
【発明が解決しようとする課題】
【０００６】
以上のように、従来のデジタル放送受信装置では、チャネルを変更、即ち、利用者がこれまで視聴してきた番組を別のチャンネルの番組に切り替えて視聴しようとする際、新たに選択したチャネルの番組がデジタル放送受信機に接続されたモニタ装置に出力されるまでには、長い時間を要するものであり、その間利用者はこの視聴を希望する番組を視聴できない。
【０００７】
また、上記特許文献１に開示されるデジタル放送受信装置のように、このチャンネルの切り替え期間にモニタ装置で何らかの挿入画像を表示するようにしても、利用者が実際に視聴したいとして選択した番組が表示されるまでには長い時間を要するため、その間利用者はこの選択した番組を視聴することができず、利便性が損なわれることになる。
【０００８】
本発明は、かかる状況に鑑みてなされたものであって、その目的は、チャンネル切り替えに要する時間を短縮し、切り替えられる新たな番組が視聴可能となるまでの待ち時間を低減することができるようにしたデジタル放送受信装置を提供するにある。
【課題を解決するための手段】
【０００９】
上記目的を達成するために、本発明は、デジタル放送番組信号を受信して処理し、映像・音声信号を出力するデジタル放送受信手段を複数備え、かつ、複数のデジタル放送受信手段のいずれか１つから出力される映像・音声信号を選択してモニタ装置に供給する出力制御手段と、少なくとも受信チャンネルの選択操作と変更操作とを行なうためのチャンネル操作手段と、チャンネル操作手段での受信チャンネルの選択操作に応じて、出力制御手段によって映像・音声信号が選択されて視聴受信状態にあるデジタル放送受信手段以外のデジタル放送受信手段に受信チャンネルを設定することにより、デジタル放送受信手段を待機受信状態とし、チャンネル操作手段での受信チャンネルの変更操作に応じて、受信チャンネルの変更操作による指示チャンネルが待機受信状態にあるデジタル放送受信手段の受信チャンネルと一致するとき、出力制御手段を制御して、映像・音声信号のモニタ装置への供給を視聴受信状態にあるデジタル放送受信手段から待機受信状態にあるデジタル放送受信手段に切り替えるものである。
【００１０】
また、制御手段は、チャンネル操作手段での受信チャンネルの変更操作による指示チャンネルが待機受信状態にあるデジタル放送受信手段の受信チャンネルと一致しないときには、出力制御手段によって映像・音声信号が選択されてモニタ装置に供給されている視聴受信状態のデジタル放送受信手段の受信チャンネルを指定チャンネルに切り替えるものである。
【００１１】
また、本発明は、デジタル放送番組信号を受信して処理し、映像・音声信号を出力するデジタル放送受信手段を複数備え、かつ、複数のデジタル放送受信手段のいずれか１つから出力される映像・音声信号を選択してモニタ装置に供給する出力制御手段と、少なくとも受信チャンネルの変更操作を行なうためのチャンネル操作手段と、デジタル放送番組の番組情報を記録する番組情報記録手段と、現時点から過去一定期間視聴した番組の視聴履歴を示す視聴履歴情報を記録する視聴履歴記録手段と、番組記録手段の番組情報と視聴履歴記録手段の視聴履歴情報をもとに、利用者が現時点で最も優先して選択するデジタル放送番組を検出し、このデジタル放送番組のチャンネルを最優先チャンネルとする視聴嗜好判別手段と、出力制御手段によって映像・音声信号が選択されて視聴受信状態にあるデジタル放送受信手段以外のデジタル放送受信手段に最優先チャンネルを受信チャンネルとして設定することにより、デジタル放送受信手段を待機受信状態とし、チャンネル操作手段での受信チャンネルの変更操作に応じて、受信チャンネルの変更操作による指示チャンネルが待機受信状態にあるデジタル放送受信手段の受信チャンネルと一致するとき、出力制御手段を制御して、映像・音声信号のモニタ装置への供給を視聴受信状態にあるデジタル放送受信手段から待機受信状態にあるデジタル放送受信手段に切り替える制御手段とを備えたものである。
【００１２】
また、制御手段は、チャンネル操作手段での受信チャンネルの変更操作による指示チャンネルが待機受信状態にあるデジタル放送受信手段の受信チャンネルと一致しないときには、出力制御手段によって映像・音声信号が選択されてモニタ装置に供給されている視聴受信状態のデジタル放送受信手段の受信チャンネルをこの指定チャンネルに切り替えるものである。
【００１３】
また、番組情報は、デジタル放送番組信号とともに、デジタル放送受信手段で受信されたものである。
【００１４】
また、ネットワークＩ／Ｆを備え、番組情報は、このネットワークＩ／Ｆで受信されたものである。
【００１５】
また、チャンネル操作手段は、チャンネルを個別に指示するためのテンキーと、指定するチャンネルを昇順に変化させるチャンネルアップキーと、指定するチャンネルを降順に変化させるチャンネルダウンキーと、待機受信状態のデジタル放送受信手段に設定されている最優先チャンネルを指定する選局済みチャンネル選択キーとの各チャンネル操作キーを備え、制御手段は、操作されるチャンネル操作キーに応じて、待機受信状態のデジタル放送受信手段に設定する最優先チャンネルを異ならせるものである。
【００１６】
また、制御手段は、（１）テンキー，チャンネルアップキー，チャンネルダウンキーのいずれかの操作によって指定されるチャンネルが待機受信状態にあるデジタル放送受信手段に設定されている受信チャンネルに一致するとき、もしくは選局済みチャンネル選択キーが操作されたとき、出力制御手段を制御して、映像・音声信号のモニタ装置への供給を視聴受信状態にあるデジタル放送受信手段から待機受信状態にあるデジタル放送受信手段に切り替え、（２）テンキーまたは選局済みチャンネル選択キーが操作されたとき、視聴嗜好判別手段で検出された最優先チャンネルを待機受信状態とするデジタル放送受信手段に受信チャンネルとして設定し、チャンネルアップキーが操作されてチャンネルが指定されたとき、チャンネルの配列順序からして指定されたチャンネルの１つ後の順序となるチャンネルを待機受信状態とするデジタル放送受信手段に受信チャンネルとして設定し、チャンネルダウンキーが操作されてチャンネルが指定されたとき、チャンネルの配列順序からして指定されたチャンネルの１つ前の順序となるチャンネルを待機受信状態とするデジタル放送受信手段に受信チャンネルとして設定するものである。
【００１７】
また、チャンネル操作手段の所定操作により、視聴受信状態にあるデジタル放送受信手段の受信チャンネルと待機受信状態にあるデジタル放送受信手段の受信チャンネルとを画面表示するものである。
【００１８】
また、チャンネル操作手段の所定操作により、現時点での放送番組の番組表を画面表示し、この番組表で待機受信状態にあるデジタル放送受信手段で受信中のデジタル放送番組を他のデジタル放送番組と区別して表示するものである。
【発明の効果】
【００１９】
本発明によると、利用者が優先的に選択するチャンネル（最優先チャンネル）が待機受信状態のデジタル放送受信手段で受信されて待機しているので、かかる最優先チャンネルへの変更が指示されたときには、このデジタル放送受信手段の出力映像・音声信号がモニタ装置に供給されるように、他のデジタル放送受信手段からこのデジタル放送受信手段への切り替えが行なわれるものであるから、デジタル放送番組のチャンネル設定開始から受信信号の復調，映像・音声データの分離抽出，映像・音声データの復号の各処理に伴うモニタ装置でのチャンネル変更がなされるまでの待ち時間が発生することがなく、即座に所望のチャネルを視聴可能となって利便性が向上する。
【発明を実施するための最良の形態】
【００２０】
以下、本発明の実施形態を図面を用いて説明する。
【００２１】
図１は本発明によるデジタル放送受信装置の第１の実施形態を示すブロック図であって、１はこの第１の実施形態のデジタル放送受信装置、２は受信アンテナ、３ａ，３ｂは無線受信部、４ａ，４ｂはデジタル信号復調部、５ａ，５ｂはＴＳ（トランスポートストリーム）デコーダ、６ａ，６ｂはＡＶ（音声・映像）デコーダ、７ａ，７ｂはデジタル放送受信手段、８は出力制御手段、９は番組情報記録手段、１０は制御手段、１１は操作手段、１２はリモコンＩ／Ｆ（インタフェース）、１３はネットワークＩ／Ｆ、１４は表示手段、１５はリモートコントローラ（以下、リモコンという）である。
【００２２】
同図において、デジタル放送受信装置１には、２つのデジタル放送受信手段７ａ，７ｂが設けられており、これらの動作が制御手段１６によって制御される。デジタル放送受信手段７ａは無線受信部３ａ，デジタル信号復調部４ａ，ＴＳデコーダ５ａ及びＡＶデコーダ６ａとで構成され、同様にして、デジタル放送受信手段７ｂも無線受信部３ｂ，デジタル信号復調部４ｂ及びＴＳデコーダ６ｂとで構成されている。また、デジタル放送受信手段７ａの無線受信手段３ａとデジタル放送受信手段７ｂの無線受信手段３ｂとは夫々、個別に受信チャンネルが設定される。
【００２３】
制御部１０は、操作手段１１の操作に応じて、あるいはリモコンＩ／Ｆ１２で受信されるリモコン１５からの指示信号に応じて、デジタル放送受信装置１の各部の制御を行なうが、以下では、操作部１１で操作が行なわれるものとして説明するが、リモコン１５を操作した場合も同様である。
【００２４】
デジタル放送受信手段７ａでは、操作手段１１の操作によって無線受信部３ａに所望の放送チャンネルが設定されると、この設定された放送チャンネルの放送信号が受信アンテナ２から無線受信部３ａで受信される。この受信放送信号はデジタル復調部でデジタル信号に復調され、ＭＰＥＧ２符号化方式などで符号化された映像，音声，データが多重されたビットストリーム（以下、トランスポートストリームという）として出力される。このトランスポートストリームはＴＳデコーダ５ａに供給されて映像・音声データと電子番組表などの各種データとに分離・抽出され、抽出された映像・音声データはＡＶデコーダ６ａでＭＰＥＧ２などの復号処理がなされる。このＡＶデコーダ６ａから出力される映像・音声信号がデジタル放送受信手段７ａの出力信号であり、出力制御手段８に供給される。また、ＴＳデコーダ５ａで抽出された電子番組表データなどの各種データは、番組情報記録手段９に供給されて記録される。
【００２５】
デジタル放送受信手段７ｂも同様であり、操作手段１１の操作によって無線受信部３ｂに所望のチャンネルが設定されると、この設定された放送チャンネルの放送信号が受信され、この受信放送信号をデジタル復調部４ｂ，ＴＳデコーダ５ｂ，ＡＶデコーダ６ｂで処理してえられる映像・音声データは、デジタル放送受信手段７ｂの出力信号として、出力制御手段８に供給される。また、ＴＳデコーダ５ｂで抽出された電子番組表データなどの各種データも、番組情報記録手段９に供給されて記録される。
【００２６】
出力制御手段８は、操作手段１１の操作に応じた制御手段１０の制御のもとに、デジタル放送受信手段７ａ，７ｂのいずれか一方の出力信号（映像・音声信号）を選択し、モニタ出力として、テレビジョン受像機などの外部接続されたモニタ装置（図示せず）に供給する。これにより、デジタル放送受信手段７ａ，７ｂのいずれか一方で受信された放送チャンネルの番組をモニタ装置で視聴することができる。
【００２７】
また、出力制御手段８は合成手段を備えており（なお、この合成手段は出力制御手段８と別体であってもよい）、操作部１１の所定操作により、制御部１０が番組情報記録手段９から、例えば、電子番組表データなどの所望のデータを読み取り、これを出力制御手段８に供給することにより、デジタル放送受信手段７ａ，７ｂのいずれか選択された方の映像・音声データに合成することができる。これにより、かかる所望のデータをモニタ装置で表示させることができる。なお、電子番組表データなどの各種データは、ネットワークを経由してネットワークから取得するようにしてもよく、このようにして取得した各種データも番組情報記録手段９に記録され、また、上記のようにして、モニタ装置で表示させることができる。
【００２８】
また、制御手段１０は、出力制御手段８で選択されてモニタ装置で視聴状態にある放送チャンネルのチャンネル名などを表示手段１４で表示する。これにより、利用者は現在視聴している放送チャンネルを知ることができる。
【００２９】
かかる構成の第１の実施形態において、利用者がデジタル放送受信手段７ａ，７ｂのうちの視聴中の放送番組を受信していない方のデジタル放送受信手段の無線受信部に希望する放送チャンネルを受信チャンネルとして設定し、このデジタル放送受信手段でこの希望する放送チャンネルを受信しているが、出力制御手段８で選択されていない待機状態にしておくようにすることができる。デジタル放送受信手段７ａ，７ｂのこのような受信状態を、以下、待機受信状態という。これに対し、モニタ装置で視聴されている番組を受信しているデジタル放送受信手段７ａ，７ｂの受信状態を、以下、視聴受信状態という。
【００３０】
また、制御手段１０は、操作部１１の操作により、出力制御手段８が視聴受信状態にあるデジタル放送受信手段７ａ（または７ｂ）から待機受信状態にあるデジタル放送受信手段７ｂ（または７ａ）に選択を切り替え、待機受信状態にあるデジタル放送受信手段７ｂ（または７ａ）を視聴受信状態とさせるように、出力制御手段８を制御する。
【００３１】
このように、デジタル放送受信手段７ａ，７ｂを待機受信状態とすることができるようにすることにより、待機受信状態にあるデジタル放送受信手段７ｂ（または７ａ）を視聴受信状態に切り替えるときには、切り替えられる新たな受信チャンネルは、安定して映像・音声データを出力している状態にあるから、直ちに視聴可能となり、チャンネル切り替え時でのモニタ装置でのチャンネル切り替え時間が大幅に短縮されることになる。
【００３２】
図２はこの第１の実施形態でのかかるチャンネル切り替えのための動作の一具体例を示すフローチャートである。
【００３３】
いま、デジタル放送受信手段７ａが視聴受信状態にあり、デジタル放送受信手段７ｂは受信していない状態（受信停止状態）にあるものとし（即ち、出力制御手段８がデジタル放送受信手段７ａの出力を選択）、図２において、利用者が操作部１１を操作して優先して視聴したい放送チャンネル（以下、優先視聴チャンネルという）を指定すると（Ｓ（ステップ）２０１）、制御部１０はデジタル放送受信手段７ｂの無線受信部３ｂにこの指定された優先視聴チャンネルを設定する。これにより、デジタル放送受信手段７ｂはこの設定された優先視聴チャンネルの放送番組を受信し（Ｓ２０２）、その映像・音声データを出力制御手段８に出力する（Ｓ２０３）。しかし、出力制御手段８はデジタル放送受信手段７ａから出力される映像・音声データを選択してモニタ装置に供給しており、このため、デジタル放送受信手段７ａは視聴受信状態にあり、デジタル放送受信手段７ｂは待機受信状態に設定されることになる。
【００３４】
なお、操作手段１１には、図示しないが、テンキーなどの受信したい放送チャンネルを入力するための入力操作ボタンと、入力された放送チャンネルを視聴受信状態にはないデジタル放送受信手段７ａまたは７ｂに設定指示するためのチャンネル設定ボタンと、視聴中の放送チャンネルを入力操作ボタンで入力された放送チャンネルに切り替えるためのチャンネル切替ボタンとを備えている。従って、上記のＳ２０１は、上記の入力操作ボタンとチャンネル設定ボタンとの操作によって行なわれるものである。
【００３５】
デジタル放送受信手段７ａが視聴受信状態にあって、操作手段１１での操作によって、以上のように、デジタル放送受信手段７ｂが待機受信状態に設定された後、現在視聴中とは別の放送チャンネルの番組を視聴したいために、利用者が操作手段１１の入力操作ボタンを操作してその希望番組の放送チャンネルを入力指定し、次いでチャンネル切替ボタンを操作すると（Ｓ２０４）、制御手段１０はこの指定された希望放送チャンネルが待機受信状態にあるデジタル放送受信手段７ｂに設定されている優先視聴チャンネルと一致するか否かを判定する（Ｓ２０５）。
【００３６】
そして、これらが一致する場合には（即ち、指定された希望放送チャンネルが待機受信状態のデジタル放送受信手段７ｂに設定されている優先視聴チャンネルであるときには）、制御手段１０は出力制御手段８を切替え制御してデジタル放送受信手段７ｂ側がこの出力制御手段８で選択される状態にする（Ｓ２０６）。これにより、デジタル放送受信手段７ｂが待機受信状態から視聴受信状態に切り替わり、このデジタル放送受信手段７ｂから出力される映像・音声信号がモニタ装置に供給されて、利用者が希望するチャンネルの番組が視聴できるようになる。この場合、デジタル放送受信手段７ｂでは、待機受信状態にあるときからこの希望チャンネルの番組の映像・音声信号が安定して出力されているから、デジタル放送受信手段７ａからデジタル放送受信手段７ｂへのチャンネル切り替えと同時に、デジタル放送受信手段７ｂで受信される利用者希望のチャンネルの番組が視聴可能となり、チャンネル切り替えの待ち時間が大幅に短縮されることになる。
【００３７】
一方、操作部１１の操作によって指定された希望チャンネルが待機受信状態にあるデジタル放送受信手段７ｂに設定されている優先視聴チャンネルと一致しない場合には（Ｓ２０５）、制御手段１０は視聴受信状態にあるデジタル放送受信手段７ａの無線受信部３ａの受信チャンネルをこの希望チャンネルに切り替える（Ｓ２０７）。これにより、このデジタル放送受信手段７ａはこの希望チャンネルを受信する状態となってその映像・音声信号を出力するが（Ｓ２０８）、出力制御手段８はそのままデジタル放送受信手段７ａ側を選択した状態に保持されるから、このデジタル放送受信手段７ａから出力されるこの利用者が新たに指定した希望チャンネルの番組の映像・音声信号がモニタ装置に供給され、視聴されるようになる。
【００３８】
このようにして、デジタル放送受信手段７ａでの受信チャンネルからデジタル放送受信手段７ｂでの受信チャンネルへのチャンネル変更があると、これまで視聴受信状態にあったデジタル放送受信手段７ａは受信停止状態となる。そこで、このデジタル放送受信手段７ａに次に視聴の優先度が高い放送チャンネルを設定し、この放送チャンネルでこのデジタル放送受信手段７ａを待機受信状態とすることができる。そして、その後、このデジタル放送受信手段７ａの次に視聴の優先度が高い放送チャンネルへのチャンネル変更があり、他方のデジタル放送受信手段７ｂが受信停止状態となると、再びこれに視聴の優先度が最も高い上記の優先視聴チャンネルを設定して待機受信状態とすることができる。このことは、後述する他の実施形態についても同様である。
【００３９】
このようにして、この第１の実施形態では、利用者が指定した希望チャンネルが、待機受信状態にあるデジタル放送受信手段７ｂにこれも利用者の指定によって設定されている優先視聴チャンネルと一致する場合には、モニタ装置でのチャンネル切り替えがほとんど待ち時間なしに行なわれることになる。
【００４０】
これに対し、これら放送チャンネルが一致しない場合には、視聴受信状態にあるデジタル放送受信手段７ａで受信チャンネルの切り替えが行なわれるため、新たに切り替えられた希望チャンネルのデジタル放送受信手段７ａから出力される映像・音声信号が安定化するまでに時間を要することになり、モニタ装置でのチャンネル切り替えにある程度の待ち時間が生ずることになる。しかし、利用者としては、優先視聴チャンネルに比べてそれ以外の放送チャンネルを選択する頻度は少なく、総合的にみた場合、チャンネル変更時の待ち時間が短縮されることになる。
【００４１】
なお、受信停止状態にあるデジタル放送受信手段への優先視聴チャンネルの設定（Ｓ２０１）及びこの設定に伴う受信の開始（Ｓ２０２），出力制御手段８への出力（Ｓ２０３）は、デジタル放送受信装置１の起動毎に行なうようにしてもよいが、かかる設定が一度行なわれると、制御手段１０がこれを記憶しておき、以後はこの起動毎に自動的に行なわれるようにすることもできる。
【００４２】
また、デジタル放送受信装置１が起動したときには、このデジタル放送受信装置１の最後の電源ＯＦＦ直前に視聴されたいた放送チャンネルで一方のデジタル放送受信手段が自動的に視聴受信状態となる。この場合のデジタル放送受信手段は、この最後の電源ＯＦＦ直前に視聴受信状態にあったデジタル放送受信手段である。
【００４３】
さらに、この第１の実施形態では、デジタル放送受信手段を２個用いるものとしたが、３個以上設け、これらに視聴の優先度が高い順に優先視聴チャンネルを設定して待機受信状態とするようにすることもできる。この場合には、３以上のチャンネルについて、チャンネル変更の待ち時間を短縮することが可能となる。このことは、後述する他の実施形態についても同様である。
【００４４】
図３は本発明によるデジタル放送受信装置の第２の実施形態を示すブロック図であって、１６は視聴嗜好判別手段、１７は視聴履歴記録手段であり、図１に対応する部分には同一符号を付けて重複する説明を省略する。
【００４５】
図１に示した第１の実施形態は、優先視聴チャンネルを、利用者が操作手段１１あるいはリモコン１５を操作することにより、デジタル放送受信手段に設定するものであったが、この第２の実施形態は、利用者による操作なしで自動的に利用者の嗜好に合った番組（以下、ユーザ嗜好番組という）の放送チャンネルが設定されるようにしたものである。
【００４６】
このために、図３において、図１に示す構成に加えて、視聴嗜好判別手段１６と視聴履歴記録手段１７とが設けられており、番組情報記録手段９での番組表データや視聴履歴記録手段１７での視聴履歴データとから視聴嗜好判別手段１６でユーザ嗜好番組の放送チャンネルが判定され、この判定結果得られた放送チャンネルが、最優先チャンネルとして、待機受信状態（もしくは受信停止状態）にあるデジタル放送受信手段７ａの無線受信部３ａまたはデジタル放送受信手段７ｂの無線受信部３ｂに設定されるものである。
【００４７】
ここで、視聴履歴記録手段１７には、利用者の番組視聴の履歴情報が記録されるものであり、視聴履歴情報は利用者が過去一定期間に視聴した番組の履歴であって、視聴時刻や番組タイトル，内容，出演者などの情報からなり、番組を視聴する毎にその視聴履歴情報が追加されていく。なお、この一定期間を過ぎた番組の視聴履歴情報は削除される。
【００４８】
視聴嗜好判別手段１６は、例えば、５分，１０分などといった一定時間の経過毎に視聴履歴記録装置１７の各番組の視聴履歴情報と番組情報記録手段９の番組情報とから、現在放送中の番組やこれから放送が始まる番組の中から利用者の嗜好に適合し、次に視聴すると判断される番組を判別してこのときのユーザ嗜好番組とし、このユーザ嗜好番組の放送チャンネルを最優先チャンネルとする。この最優先チャンネルが、制御手段１０により、待機受信状態（デジタル放送受信装置１の起動時では、受信停止状態）にあるデジタル放送受信手段に設定されるものである。
【００４９】
ユーザ嗜好番組の判定方法としては、例えば、視聴履歴情報の視聴時刻や番組タイトルなどをもとに、視聴時刻と番組タイトルが同じの番組を１つの同じ番組としてまとめ、同じ番組とまとめた番組の個数をこの番組の視聴回数とし、最も視聴回数が多い番組をユーザ嗜好番組とする。そして、番組情報記録手段９の番組情報をもとに、このユーザ嗜好番組の放送チャンネルを検出し、これを最優先チャンネルとする。このような最優先チャンネルの検出は、上記の一定時間の経過毎に行なわれる。
【００５０】
図４はこの第２の実施形態の動作の一具体例を示すフローチャートである。
【００５１】
同図において、デジタル放送受信装置１が起動されると、制御部１０の制御により、例えば、デジタル放送受信手段７ａの無線受信部３ａにこのデジタル放送受信装置１が最後に電源ＯＦＦとされる直前に視聴していた番組の放送チャンネルが設定され、このデジタル放送受信手段７ａをこの放送チャンネルの受信状態にする（Ｓ３０１）。また、制御部１０は出力制御手段８を制御し、デジタル放送受信手段７ａ側を選択した状態にする（Ｓ３０２）。これにより、このデジタル放送受信手段７ａは、その出力映像・音声信号がモニタ装置（図示せず）に供給される視聴受信状態となる。
【００５２】
また、制御手段１０は、番組情報記録手段９から現在放送中の番組からなる番組情報を取得し（Ｓ３０３）、また、視聴履歴記録手段１７の番組視聴の履歴情報を取得し（Ｓ３０４）、夫々を視聴嗜好判別手段１６に供給する。視聴嗜好判別手段１６では、これら番組情報と視聴履歴情報とにより、上記のようにして現在放送中の番組の中から利用者の嗜好に適合し、次に視聴するであろうと判断される番組を判別してユーザ嗜好番組とし（Ｓ３０５）、さらに、このユーザ視聴番組を放送中のチャネルを検出して最優先チャンネルとする。制御手段１０は、受信停止状態にあるデジタル放送受信手段７ｂの無線受信部３ｂにこの最優先チャンネルを設定し、このデジタル放送受信手段７ｂをこの最優先チャンネルの待機受信状態とする（Ｓ３０６）。
【００５３】
以上のＳ３０３〜Ｓ３０６の動作は、利用者によってチャンネル変更の指示がない限り（Ｓ３０７）、上記の一定時間の経過毎に実行され、これにより、デジタル放送受信手段７ｂは、夫々の時点毎に、そのときの最優先チャンネルを受信する待機受信状態に設定されている。
【００５４】
その後、図１に示す第１の実施形態と同様、利用者が操作手段１１もしくはリモコン１５を操作して受信希望チャンネルを指定し、この受信希望チャンネルへのチャンネル変更を指示すると（Ｓ３０７）、制御部１０は、図１に示す第１の実施形態と同様、この指定された受信希望チャンネルが待機受信状態にあるデジタル放送受信手段７ｂに設定された最優先チャンネルと一致するか否か判定し（Ｓ３０８）、一致する場合には、制御手段１０は出力制御手段８を制御し、デジタル放送受信手段７ｂの出力映像・音声信号がモニタ装置に供給されるように、このデジタル放送受信手段７ｂを視聴受信状態にする（Ｓ３０９）。また、一致しない場合には（Ｓ３０８）、制御手段１０が、待機受信状態にあるデジタル放送受信手段７ｂの無線受信部３ｂで受信チャンネルを最優先チャンネルから指定された受信希望チャンネルに切り替え（Ｓ３１０）、かつ出力制御部８を制御してデジタル放送受信手段７ｂから出力される受信希望チャンネルの銀組みの映像・音声信号がモニタ装置に供給されるように、このデジタル放送受信手段７ｂを視聴受信状態にする（Ｓ３０９）。このように、デジタル放送受信手段７ｂを視聴受信状態となると、これまで視聴受信状態にあったデジタル放送受信手段７ａは受信停止状態となる。
【００５５】
しかる後、Ｓ３０３からの動作を再び始めるが、Ｓ３０３〜Ｓ３０６では、そのとき得られた最優先チャンネルは、受信停止状態にあるデジタル放送受信手段７ａの無線受信部３ａに設定され、このデジタル放送受信手段７ａが待機受信状態となって上記の動作が繰り返されることになる。
【００５６】
このように、この第２の実施形態では、待機受信状態にあるデジタル放送受信手段を用いて、利用者の視聴履歴をもとに求めたその嗜好に適合し、選択される可能性が高い番組を予め受信して待機するようにしているため、第１の実施形態が奏する効果に加え、かかる番組を受信するためのチャンネルの設定動作が不要となり、また、かかる番組へ視聴を変更するときの待ち時間も大幅に短縮されることになる。
【００５７】
なお、図４において、受信希望チャンネルが待機受信状態にあるデジタル放送受信手段７ｂに設定されている最優先チャンネルと一致しないときには（Ｓ３０８）、このデジタル放送受信手段７ｂの受信チャンネルをこの受信希望チャンネルに切り替え（Ｓ３１０）、しかる後、出力制御手段８を制御してこのデジタル放送受信手段７ｂを視聴受信状態に切り替えるようにしたが（Ｓ３０９）、図１に示した第１の実施形態と同様、視聴受信状態にあるデジタル放送受信手段７ａで受信チャンネルを受信希望チャンネルに切り替えるようにしてもよい。
【００５８】
図５は本発明によるデジタル放送受信装置の第３の実施形態に用いるリモコン１５の一具体例を示す正面図であって、２０は電源キー、２１，２２は音量操作キー、２３はテンキー、２４はチャネルアップキー、２５はチャネルダウンキー、２６は選局済みチャネル選択キーである。
【００５９】
図５において、リモコン１４は、通常のリモコンと同様、電源キー２０や音量操作キー２１，２２、チャネル番号を指定してチャンネル変更を指示するのためのテンキー２３、視聴中のチャネル番号より次のチャネルを選択してチャンネル変更を指示するためのチャネルアップキー２４や視聴中のチャネル番号より前のチャネルを選択してチャンネル変更を指示するためのチャネルダウンキー２５を備えているが、さらに、待機受信状態にあるデジタル放送受信手段で予め設定されている最優先チャンネルを選択してチャンネル変更を指示するための選局済みチャネル選択キー２６も設けられている。
【００６０】
この第３の実施形態は、その装置そのものの構成は、上記の第２の実施形態と同様、図３に示す構成をなすものであるが、図５に示すリモコン１５を用いることにより、待機受信状態（あるいは受信停止状態）にあるデジタル放送受信手段に設定する最優先チャンネルの選択方法を、リモコン１５での利用者のチャネル変更操作法に応じて異ならせるようにしたものである。
【００６１】
図６は図５に示すリモコン１５の操作によるこの第３の実施形態の動作の一具体例を示すフローチャートである。以下、図３も参照して、この第３の実施形態の動作を説明する。
【００６２】
図６において、いま、デジタル放送受信手段７ａ，７ａの一方、例えば、デジタル放送受信手段７ａが視聴受信状態にあり、デジタル放送受信手段７ｂが待機受信状態にあるものとする。かかる状態で、利用者のリモコン１５のテンキー２３，チャネルアップキー２４，チャネルダウンキー２５，選局済みチャネル選択キー２６のいずれかの操作により、チャネル変更の指示があると（Ｓ５０１）、制御手段１０は、まず、指示された受信希望チャンネルが待機受信状態にあるデジタル放送受信手段７ｂで設定されている最優先チャンネルに一致するか否かを判別し（Ｓ５０２）、一致すれば、出力制御手段８を制御して待機受信状態にあるデジタル放送受信手段７ｂの出力映像・音声信号を図示しないモニタ装置に供給させて、このデジタル放送受信手段７ｂを視聴受信状態にする（Ｓ５０３）。一致しない場合には、この待機受信状態にあるデジタル放送受信手段７ｂで受信チャンネルが受信希望チャンネルに変更され（Ｓ５０４）、出力制御手段８が制御されてこのデジタル放送受信手段７ｂの出力映像・音声信号がモニタ装置に供給されるように、このデジタル放送受信手段７ｂを視聴受信状態にする（Ｓ５０３）。
【００６３】
なお、このチャンネル変更の指示が選局済チャンネル選択キー２６による場合には、必ず現在待機受信状態にあるデジタル放送受信手段７ｂに設定されている最優先チャンネルへのチャンネル変更を指定するものであるから、この待機受信状態にあるデジタル放送受信手段７ｂがそのままの受信状態で視聴受信状態に切り替えられる。
【００６４】
以上のように、チャンネル変更が行なわれると、制御手段１０は、次に、次のチャンネル変更のための最優先チャンネルの設定動作を行なう。この設定動作は、次のように行なわれる。
【００６５】
（１）Ｓ５０１で検出した上記のチャンネル変更の指示がリモコン１５でのテンキー２３もしくは選局済みチャネル選択キー２６によるものであるとき（Ｓ５０５）：
この場合には、第２の実施形態での図４におけるＳ３０３〜Ｓ３０６と同様の設定動作、即ち、番組情報記録手段９（図３）から現在放送中の番組からなる番組情報を取得し（Ｓ５０６）、また、視聴履歴記録手段１７（図３）の番組視聴の履歴情報を取得し（但し、Ｓ５０３で視聴受信状態となったデジタル放送受信手段７ｂに設定されている受信チャンネルを除く：Ｓ５０７）、夫々を視聴嗜好判別手段１６（図３）に供給する。視聴嗜好判別手段１６では、これら番組情報と視聴履歴情報とにより、上記のようにして現在放送中の番組の中から利用者の嗜好に適合し、次に視聴するであろうと判断される番組を判別してユーザ嗜好番組とし（Ｓ５０８）、さらに、このユーザ視聴番組を放送中のチャネルを検出して最優先チャンネルとする。制御手段１０は、受信停止状態になったデジタル放送受信手段７ａの無線受信部３ａ（図３）にこの最優先チャンネルを設定し、このデジタル放送受信手段７ａをこの最優先チャンネルの待機受信状態とする（Ｓ５０９）。そして、次のチャンネル変更の指示を待つ（Ｓ５０１）。
【００６６】
（２）Ｓ５０１で検出した上記のチャンネル変更の指示がリモコン１５でのチャンネルアップキー２４によるものであるとき（Ｓ５０５，Ｓ５１０）：
この場合には、このチャンネルアップキー２４によって指定された放送チャンネルが利用者の受信希望チャンネルであって、制御手段１０によって上記のＳ５０２，Ｓ５０３のチャンネル変更、または、Ｓ５０２，Ｓ５０４，Ｓ５０３のチャンネル変更が行なわれるが、Ｓ５０５，Ｓ５１０でチャンネル変更の指示がチャンネルアップキー２４によってなされたものと判定すると、利用者が次に希望する受信チャンネルはこのチャンネルアップキー２４を再度操作して指定される次の（即ち、チャンネルの順番からみて１つ後の）放送チャンネルとみなし、この放送チャンネルを利用者の最優先チャンネルと決定する。そして、この最優先チャンネルを視聴受信状態から受信停止状態に変更されてデジタル放送受信手段７ａに設定し、これを待機受信状態にする（Ｓ５１１）。しかる後、Ｓ５０１に戻って次のチャンネル変更の指示を待つ。
【００６７】
そこで、例えば、チャンネルアップキー２４を１回もしくは複数回続けて操作して放送チャンネルＸiを指定したとすると、この放送チャンネルＸiを視聴できるように、Ｓ５０２，Ｓ５０３のチャンネル変更、または、Ｓ５０２，Ｓ５０４，Ｓ５０３のチャンネル変更が行なわれるが、この放送チャンネルＸiの（チャンネルの順番からみて）次の放送チャンネルＸi+1が最優先チャンネルとして視聴受信状態から受信停止状態に変更されてデジタル放送受信手段７ａに設定されることになる。
【００６８】
（３）Ｓ５０１で検出した上記のチャンネル変更の指示がリモコン１５でのチャンネルダウンキー２５によるものであるとき（Ｓ５０５，Ｓ５１０）：
この場合にも、チャンネルアップキー２４でチャンネル変更が指示された場合とほぼ同様であって、このチャンネルダウンキー２５によって指定された放送チャンネルが利用者の受信希望チャンネルであって、制御手段１０によって上記のＳ５０２，Ｓ５０３のチャンネル変更、または、Ｓ５０２，Ｓ５０４，Ｓ５０３のチャンネル変更が行なわれるが、Ｓ５０５，Ｓ５１０でチャンネル変更の指示がチャンネルダウンキー２５によってなされたものと判定すると、利用者が次に希望する受信チャンネルはこのチャンネルダウンキー２５を再度操作して指定される次の（即ち、チャンネルの順番からみて１つ前の）放送チャンネルとみなし、この放送チャンネルを利用者の最優先チャンネルと決定する。そして、この最優先チャンネルを視聴受信状態から受信停止状態に変更されてデジタル放送受信手段７ａに設定し、これを待機受信状態にする（Ｓ５１１）。しかる後、Ｓ５０１に戻って次のチャンネル変更の指示を待つ。
【００６９】
そこで、例えば、チャンネルダウンキー２５を１回もしくは複数回続けて操作して放送チャンネルＹjを指定したとすると、この放送チャンネルＹjを視聴できるように、Ｓ５０２，Ｓ５０３のチャンネル変更、または、Ｓ５０２，Ｓ５０４，Ｓ５０３のチャンネル変更が行なわれるが、この放送チャンネルＹjの（チャンネルの順番からみて）１つ前の放送チャンネルＹj-1が最優先チャンネルとして視聴受信状態から受信停止状態に変更されてデジタル放送受信手段７ａに設定されることになる。
【００７０】
このようにして、この第３の実施形態では、利用者がテンキー２３あるいは選局済みチャネル選択キー２６を操作してチャネル変更を指示した場合には、利用者の視聴履歴をもとに、その嗜好に適合する番組を求めて、その放送チャンネルを最優先チャンネルとして視聴受信状態にないデジタル放送受信手段に設定し、このデジタル放送受信手段を待機受信状態にしておく。また、利用者がチャネルアップキー２４あるいはチャネルダウンキー２５を操作して新たな受信チャンネルへの変更を指示した場合には、再度かかるキー操作でチャネル変更を指示する場合に選択すると予測される放送チャンネルを最優先チャネルとし、これを視聴受信状態にないデジタル放送受信手段に設定して待機受信状態にする。
【００７１】
つまり、利用者がテンキー２３を操作して受信チャネルの選択を行なった場合には、利用者がその嗜好に合う視聴したい番組を意図的に選択しているものと考えられるものであるから、その場合には、利用者の嗜好を判別した上でその嗜好に合った放送チャネルを予めデジタル放送受信手段に設定してこれを待機受信状態にしておくものである。また、利用者がチャネルアップキー２４あるいはチャネルダウンキー２５を操作して受信チャネルを選択する場合には、利用者は受信チャネルを順番に選択しているものと考えられ、その場合には、昇順あるいは降順に選択しているチャネルを先回りして、最優先チャンネルを選択するものである。これにより、利用者のリモコン操作に応じて、予め待機受信状態にあるデジタル放送受信手段での最優先チャネルを切り替えることができ、その結果、利用者が変更を指示したチャネルと予め待機受信状態にあるデジタル放送受信手段で受信するチャネルとが一致する確度が高くなり、チャネル変更時の待時間が発生する頻度がより少なくなって利用者の待ち時間を減少することができる。また、リモコン１５上に専用の選局済みチャネル選択キー２６が設けられているので、利用者がこの選局済みチャネル選択キー２６でチャネル変更を指示する限りでは、待ち時間なしで確実に利用者が希望する受信チャネルへの変更が可能となり、利用者にとって利便性が向上する。
【００７２】
なお、この第３の実施形態では、操作手段１１（図３）にこのリモコン１５と同様の操作ができる構成を持たせるようにすることもできる。
【００７３】
図７は本発明によるデジタル放送受信装置の第４の実施形態を示す図であって、同図（ａ）はその表示動作の一具体例を、同図（ｂ）は他の具体例を夫々示すものであり、１はデジタル放送受信装置、３０はモニタ装置、３１は視聴中チャネル表示、３２は待機中チャネル表示、３３は番組表、３４は待機中チャネル表示マークである。
【００７４】
図７に示す第４の実施形態も、図１，図３または図５〜図６に示す実施形態と同様、視聴受信状態にあるデジタル放送受信手段の受信番組の映像・音声信号をモニタ装置３０に供給する。従って、モニタ装置３０では、かかる映像・音声信号が供給されて、この放送番組が表示されて試聴中となっている。
【００７５】
図７（ａ）に示す具体例では、図示しない操作手段１１（図１または図３）もしくはリモコン１５（図１または図３）には、チャンネル表示キーが設けられており、利用者がこのチャンネル表示キーを操作すると、モニタ装置３０に、図示するように、表示される受信番組の画面上に視聴中チャンネル表示３１と待機中チャンネル表示３２とが表示される。この視聴中チャンネル表示３１は現在モニタ装置３０で表示されている受信番組の放送チャンネルを表わすものであり、待機中チャンネル表示３２はデジタル放送受信装置の待機受信状態にあるデジタル放送受信手段に設定されている最優先チャンネルが表示される。
【００７６】
また、図７（ｂ）に示す具体例では、図示しない操作手段１１（図１または図３）もしくはリモコン１５（図１または図３）には、番組表表示キーが設けられており、利用者がこの番組表示キーを操作すると、モニタ装置３０に、図示するように、現在放送されている放送番組の番組表３３が表示され、その番組表３３に、待機中チャネル表示マーク３４により、現在待機受信状態にあるデジタル放送受信手段に設定されている最優先チャンネルを示すようにしている。なお、現在視聴中の受信番組を他のマークまたは枠などでもって示すようにしてもよい。
【００７７】
このようにして、利用者に、視聴チャンネルとともに、既に設定されている最優先チャンネルを通知することができる。
【００７８】
そこで、利用者が表示された最優先チャネルを選択してチャンネル変更を指示する場合には、確実に待ち時間無しでチャネル変更することが可能となり、利用者にとって利便性が向上する。また、表示された最優先チャンネル以外の放送チャネルを受信希望チャンネルとして選択した場合には、そのチャネル変更に待ち時間を要することを利用者が予め予測でき、これを承知でチャンネル変更を行なうものであるから、チャンネル変更の待ち時間中の利用者の精神的負担を低減することができる。
【００７９】
なお、これら具体例では、待機受信状態のデジタル放送受信手段で設定されている最優先チャンネルをモニタ装置３０で表示するようにしたが、デジタル放送受信装置１の表示手段１４（図１，図３）で表示するようにしてもよいし、また、リモコン１５（図１，図３）に備えた表示手段で表示するようにしてもよい。
【図面の簡単な説明】
【００８０】
【図１】本発明によるデジタル放送受信装置の第１の実施形態を示すブロック図である。
【図２】図１に示す第１の実施形態の動作の一具体例を示すフローチャートである。
【図３】本発明によるデジタル放送受信装置の第２の実施形態を示すブロック図である。
【図４】図３に示す第２の実施形態の動作の一具体例を示すフローチャートである。
【図５】本発明によるデジタル放送受信装置の第３の実施形態に用いるリモコンの一具体例を示す正面図である。
【図６】図５に示すリモコンの操作に伴う本発明によるデジタル放送受信装置の第３の実施形態の動作の一具体例を示すフローチャートである。
【図７】本発明によるデジタル放送受信装置の第３の実施形態の動作説明図である。
【符号の説明】
【００８１】
１  デジタル放送受信装置
２  受信アンテナ
３ａ，３ｂ  無線受信部
４ａ，４ｂ  デジタル復調部
５ａ，５ｂ  ＴＳデコーダ
６ａ，６ｂ  ＡＶデコーダ
７ａ，７ｂ  デジタル放送受信手段
８  出力制御手段
９  番組情報記録手段
１０  制御手段
１１  操作手段
１２  リモコンＩ／Ｆ
１３  ネットワークＩ／Ｆ
１４  表示手段
１５  リモコン
１６  視聴履歴記録手段
１７  視聴嗜好判別手段
２３  テンキー
２４  チャンネルアップキー
２５  チャンネルダウンキー
２６  選局済チャンネル選択キー
３０  モニタ装置
３１  視聴中チャンネル表示
３２  待機中チャンネル表示
３３  番組表
３４  待機中チャネル表示マーク
【図１】
2005354283.tif 000003
【図２】
2005354283.tif 000004
【図３】
2005354283.tif 000005
【図４】
2005354283.tif 000006
【図５】
2005354283.tif 000007
【図６】
2005354283.tif 000008
【図７】
2005354283.tif 000009